(57)【特許請求の範囲】
【請求項１】
画像を読み取って得られたアナログ又は多値の読取データを２値の２値化データに変換する２値化回路を備え、前記２値化データの画素密度変換を行なう画像読取装置において、
前記２値化回路から出力された２値化データを画素毎に記憶する第１の記憶手段と、前記第１の記憶手段に記憶された２値化データが入力されるとともに前記２値化回路から出力された２値化データが入力され、画素毎に演算を行って演算結果を出力する画素演算手段と、前記画素演算手段の演算結果を画素毎に記憶して再び前記画素演算手段に出力する第２の記憶手段とを備え、
前記画素演算手段は、前記第１の記憶手段に記憶された第ｎ画素の２値化データＬｎと、前記２値化回路から出力された第ｎ＋１画素の２値化データＬｎ＋１と、前記第２の記憶手段に記憶された２画素の演算結果Ｌ´ｎ−２とに基づいて、演算結果Ｌ´ｎをＬ´ｎ＝Ｌｎ＋１＋Ｌｎ・ｉｎｖ（Ｌ´ｎ−２）（但し、ｉｎｖ（Ｌ´ｎ−２）は（Ｌ´ｎ−２）の反転結果である）なる論理演算によって生成することを特徴とする画像読取装置。
【発明の詳細な説明】
【０００１】
【産業上の利用分野】
本発明は、画像読取装置に係り、詳しくは、ＦＡＸ、スキャナー等の画像読取装置において、２画素データから１画素データに変換を行う画像読取装置に関する。
【０００２】
【従来の技術】
従来の画像読取装置において、縮小等で間引き処理を行う場合については、例えば特開平１−１５２８６８号公報で報告されたものがあり、ここでは、黒データの欠落を防止するため、隣接画素あるいは隣接ラインと論理和を取っていた。
【０００３】
【発明が解決しようとする課題】
しかしながら、上記したような従来の画像読取装置では、隣接画素あるいは隣接ラインと論理和を取ることで黒データの欠落を防止できるという利点があるが、白データの欠落は防止することができず、白データの欠落が発生し、その結果全体として潰れ気味の画像となってしまうという点で問題を残していた（図４（ａ）、（ｃ）、（ｄ）及び図５参照）。
【０００４】
そこで、上記問題を解決する従来の画像読取装置には、例えば特公昭６０−３１４２１号公報で報告されたものがあり、ここでは、白データと黒データが混在している場合、白データと黒データが平均して出力されるように直前画素と異なるデータを出力している。しかしながら、この従来の画像読取装置では、白データと黒データをできるだけ平均して出力することで画像の潰れをある程度抑えることができるという利点を有するが、副走査方式のデータを主走査方向のデータに置き換えて行っているため、解像度が劣化してしまうという点で問題を残していた（図４（ａ）、（ｂ）及び図５参照）。
【０００５】
そこで本発明は、黒データ及び白データ共欠落を極端に少なくすることができ、解像度の劣化の少ない画像を得ることができる画像読取装置を提供することを目的としている。
【０００６】
【課題を解決するための手段】
請求項１記載の発明は、画像を読み取って得られたアナログ又は多値の読取データを２値の２値化データに変換する２値化回路を備え、前記２値化データの画素密度変換を行なう画像読取装置において、前記２値化回路から出力された２値化データを画素毎に記憶する第１の記憶手段と、前記第１の記憶手段に記憶された２値化データが入力されるとともに前記２値化回路から出力された２値化データが入力され、画素毎に演算を行って演算結果を出力する画素演算手段と、前記画素演算手段の演算結果を画素毎に記憶して再び前記画素演算手段に出力する第２の記憶手段とを備え、前記画素演算手段は、前記第１の記憶手段に記憶された第ｎ画素の２値化データＬｎと、前記２値化回路から出力された第ｎ＋１画素の２値化データＬｎ＋１と、前記第２の記憶手段に記憶された２画素の演算結果Ｌ´ｎ−２とに基づいて、演算結果Ｌ´ｎをＬ´ｎ＝Ｌｎ＋１＋Ｌｎ・ｉｎｖ（Ｌ´ｎ−２）（但し、ｉｎｖ（Ｌ´ｎ−２）は（Ｌ´ｎ−２）の反転結果である）なる論理演算によって生成することを特徴とするものである。
【０００７】
【作用】
請求項１記載の発明では、実際に取り込んだ画素のデータＬ´ｎ−２が黒の場合は、１画素空いた次画素のデータＬｎ＋１をそのまま出力し、取り込んだ画素のデータＬ´ｎ−２が白の場合は、次の２画素の論理和データ（Ｌｎ＋Ｌｎ＋１）を出力するため、黒データ及び白データの欠落が極端に少ないデータを得ることができ、解像度の劣化の少ない画像を得ることができる。
【０００８】
【実施例】
以下、本発明の実施例を具体的に図面を用いて説明する。
【０００９】
図１は本発明の実施例に則した画像読取装置の構成を示すブロック図である。図１において、画像読取装置は、２値化回路１２と、第１のレジスタ１３ａ（第３の記憶手段）と、第２及び第３のレジスタ１３ｂ、１３ｃ（第４の記憶手段）と、演算回路１４（画素演算手段）と、サンプリング回路１５とを含む。図示例は隣接する２つの画素データを１つの画素データに変換して出力する画像読取装置に適用する場合である。図１において、１１は原稿読取回路であり、この原稿読取回路11から出力されたアナログ読取データ又は多値読取データは、２値化回路１２に入力され、この２値化回路１２で白又は黒の２値化データに変換される（即ち「２値化」される）。なお、本実施例では白データを０とし、黒データを１とする。次いで、２値化回路１２で変換された２値化データはレジスタ１３ａに記憶されるとともに、演算回路１４に入力される。次いで、演算回路14の出力はレジスタ１３ｂ及びレジスタ１３ｃに記憶され、このレジスタ１３ｂ、１３ｃを介して再び演算回路１４に入力される。即ち、演算回路１４には、現画素の２値化データＬｎ＋１、前画素の２値化データＬｎ及び前々画素の演算回路１４の出力が主走査位置に同期して入力される。ここで、演算回路１４は図２の演算回路に示す如く次式の論理演算を行い、演算結果Ｌｎ′を出力する。
【００１０】
Ｌｎ′＝Ｌｎ＋１＋Ｌｎ・ｉｎｖ（Ｌ′ｎ−２）
（但し、ｉｎｖ（Ｌ′ｎ−２）は前々画素の演算結果Ｌ′ｎ−２の反転結果を示す）
即ち、図１、図２および前記式によって示されるように、演算回路１４は、第１のレジスタ１３ａに記憶された第ｎ画素の２値化データＬｎと、２値化回路１２から出力された第ｎ＋１画素の２値化データＬｎ＋１と、第３のレジスタ１３ｃに記憶された２画素前の演算結果Ｌ′ｎ−２とが入力され、２画素前の演算結果Ｌ′ｎ−２の反転結果と第ｎ画素の２値化データＬｎとの論理積を実行し、この論理積の結果と第ｎ＋１画素の２値化データＬｎ＋１との論理和を、演算結果Ｌｎ′として出力する。
本実施例では、２画素のデータから１画素のデータに変換する回路構成であるため、データの取り込みは１画素おきに行う。このため、Ｌｎ′を取り込むとすると、前画素として取り込まれたデータはＬ′ｎ−２である。
【００１１】
ここで、図３に本回路での出力例を示すが、図３（ａ）の２値化データは演算処理されて図３（ｂ）の如くデータに変換される。システムは１画素おきにデータをサンプリング回路１５によりサンプリングするため、図３（ｃ）又は図３（ｄ）の如くサンプリング出力される。
また、本実施例では、図１に示す如く主走査方向の画素を１／２に間引くようにし、画素単位にレジスタ１３ａ〜１３ｃに記憶し、１画素おきにデータをサンプリング回路１５でサンプリングしている。
【００１２】
本実施例では、実際に取り込んだ画素のデータＬ´ｎ−２が黒の場合は、１画素空いた次画素のデータＬｎ＋１をそのまま出力し、取り込んだ画素のデータＬ´ｎ−２が白の場合は、次の２画素の論理和データ（Ｌｎ＋Ｌｎ＋１）を出力することができるので、黒データ及び白データの欠落が極端に少ないデータを得ることができ、解像度の劣化の少ない画像を得ることができる。
【００１３】
【発明の効果】
本発明によれば、黒データ及び白データ共欠落を極端に少なくすることができ、解像度の劣化の少ない画像を得ることができるという効果がある。
【図面の簡単な説明】
【図１】本発明の実施例に則した画像読取装置の構成を示すブロック図である。
【図２】本発明の実施例に則した演算回路を示す回路図である。
【図３】本発明の実施例に則した２値化データ、演算回路出力及びサンプリング出力を示す図である。
【図４】従来例の課題を説明する図である。
【図５】従来例の課題を説明する図である。
【符号の説明】
６  オア
７  アンド
８  インバータ
１１  原稿読取回路
１２  ２値化回路
１３ａ  レジスタ（第１の記憶手段）
１３ｂ、１３ｃ  レジスタ（第２の記憶手段）
１４  演算回路（画素演算手段）
１５  サンプリング回路
【図１】
0003723150.tif 000002
【図２】
0003723150.tif 000003
【図３】
0003723150.tif 000004
【図４】
0003723150.tif 000005
【図５】
0003723150.tif 000006